(57)【要約】      （修正有）【課題】複数のＬＥＤ発光素子を有する照明体を、筐体構成部材を長さ方向に連結して構成された筐体内に収容して、筐体構成部材の継ぎ目の間隙から光が洩れ出ることを防止する照明器具を提供する。【解決手段】筐体内に、照明体１０を保持する複数の保持具５０を設ける。この保持具５０として、筐体構成部材の底板２２、左側板２３および右側板２４の内側にそれぞれ位置する保持具底板５２、保持具左側板５３および保持具右側板５４を有して、これらの板で囲う状態にして照明体１０を保持する。そしてこの保持具５０を、連結状態で隣り合う筐体構成部材の継ぎ目の位置に配置する。【選択図】図２
0003217460.tif 000002
【実用新案登録請求の範囲】
【請求項１】
長尺の支持体に、複数のＬＥＤ発光素子が支持体長さ方向に並べて支持されてなる照明体と、
前記照明体を内部に収容する長尺の筐体であって、底板および、この底板の幅方向両縁部から各々立ち上がった左右の側板を有する筐体と、
前記左右の側板の上縁間に差し渡されて、前記照明体から発せられた光を拡散させる拡散板と、
前記筐体に取り付けられて、該筐体内に収容された前記照明体を保持する保持具と、
を有する照明器具において、
前記筐体が、前記底板および左右の側板を有する筐体構成部材が複数直列に連結して構成され、
前記保持具として、前記筐体構成部材の底板、左側板および右側板の内側にそれぞれ位置する保持具底板、保持具左側板および保持具右側板を有して、これらの保持具底板、保持具左側板および保持具右側板で囲う状態にして前記照明体を保持するものが用いられ、
前記保持具が遮光性の部材から形成されて、連結状態で隣り合う筐体構成部材の継ぎ目の位置に配されている、
ことを特徴とする照明器具。
【請求項２】
前記拡散板が、前記筐体の長さ方向に延びる光拡散部と、この光拡散部の左右両縁部からそれぞれ立ち上がって筐体の左側板および右側板の内面に取り付けられる取付部とを有し、
前記取付部が遮光性のものとされている、
請求項１記載の照明器具。
【請求項３】
前記取付部の下端と、前記保持具の保持具左側板および保持具右側板の各上端とが接している請求項２記載の照明器具。
【請求項４】
前記拡散板として、筐体長さ方向に連ねられた複数の拡散板が用いられ、
該拡散板の継ぎ目の位置が、前記筐体構成部材の継ぎ目の位置に対して筐体長さ方向にずれている、
請求項１から３いずれか１項記載の照明器具。
【考案の詳細な説明】
【技術分野】
【０００１】
本考案は照明器具に関し、特に詳細には、複数のＬＥＤ発光素子が長尺の支持体に支持されてなる照明体を、細長い筐体の中に収容してなる照明器具に関するものである。
【背景技術】
【０００２】
従来、例えば特許文献１、２に示されているように、複数のＬＥＤ発光素子が長尺の支持体に支持されてなる照明体を、細長い筐体の中に収容してなる照明器具が知られている。より詳しくは、複数のＬＥＤ発光素子は例えばフレキシブル基板等からなる支持体の一表面側に、支持体長さ方向に並べて支持されている。一方筐体は、この支持体を内部に収容可能に、一方向に延びる底板および左右の側板からなる長尺の部分と、その両端を閉じる板とからなるものが多く用いられる。また、筐体の底板と反対側の開いた部分、つまり左右の側板の間には、複数のＬＥＤ発光素子から発せられた光を拡散させる長尺の拡散板（ディフューザー）が取り付けられる。上述の構成を有する照明器具は、長尺の拡散板から一様な強度の光を発して、いわゆる面発光ライン照明を実現する。
【０００３】
複数のＬＥＤ発光素子を有する上記の照明体は、特許文献２にも示されているように、所望の長さに、つまり所望数のＬＥＤ発光素子を有するように、長さ方向内の一箇所で切断可能に構成されることもある。このように切断される照明体を適用する場合は、その長さに合わせて、筐体の全長を変えることが必要になる。
【０００４】
筐体の全長を変えるためには、上記の底板および左右の側板を有する筐体構成部材を、長さ方向の任意の箇所で切断可能としておくことが考えられる。さらには、上述のような筐体構成部材を複数用意しておき、それらのうちのいくつかを長さ方向に連結して、所望長さの筐体を構成することが考えられる。なお、そのような複数の筐体構成部材は、長さが共通のものであってもよいし、あるいは長さが互いに異なるものであってもよい。さらに、そのように複数連結される筐体構成部材の中の１つあるいは複数が、上述のように切断して用いられてもよい。
【０００５】
なお、上述のように複数の筐体構成部材を連結することは、特に照明体を切断して用いる場合に限らず、完成状態の照明体をそのまま適用する場合でも、全長が大きい照明体に適合する長い筐体を作製した場合にも有効な手法である。
【０００６】
他方、複数のＬＥＤ発光素子を有する照明体は、切断の有無に関わらず、全長がかなり長い状態で使用されることが多い。そして、複数のＬＥＤ発光素子の支持体がフレキシブル基板等である場合、長い照明体は弛み易いものとなっている。この弛みが発生して、照明体が部分的に拡散板の方に近付き過ぎると、あるＬＥＤ発光素子からの光が特に目立つ、いわゆる「ドット状」の照明光になってしまう。そこで、筐体内に収容されたこの種の照明体を、筐体に係止する保持具（留め具）を用いて、適宜長さ毎に筐体に保持することが従来行われている。特許文献１には、その種の保持具の一例が示されている。
【先行技術文献】
【特許文献】
【０００７】
【特許文献１】特開２０１７−１９９６１８号公報
【特許文献２】特開２０１６−２２５０５２号公報
【考案の概要】
【考案が解決しようとする課題】
【０００８】
ところで、前述したように複数の筐体構成部材を長さ方向に連結して筐体を構成する場合、隣り合う筐体構成部材は継ぎ目のところで密接しているのが理想的であるが、両者の間に僅かな隙間が生じてしまうこともある。そのような隙間が特に筐体構成部材の左あるいは右の側板に生じていると、ＬＥＤ発光素子が発する光がそこから筐体側外方に洩れ出てしまう。このような光の洩出は、照明器具の品質、商品価値を損なうものとなる。
【０００９】
本考案は上記の事情に鑑みてなされたものであり、筐体構成部材を長さ方向に連結して構成された筐体内に、複数のＬＥＤ発光素子を有する照明体を収容してなる照明器具において、筐体構成部材の継ぎ目の間隙から光が洩れ出ることを防止することを目的とする。
【課題を解決するための手段】
【００１０】
本考案による照明器具は、
長尺の支持体に、複数のＬＥＤ発光素子が支持体長さ方向に並べて支持されてなる照明体と、
照明体を内部に収容する長尺の筐体であって、底板および、この底板の幅方向両縁部から各々立ち上がった左右の側板を有する筐体と、
上記左右の側板の上縁間に差し渡されて、照明体から発せられた光を拡散させる拡散板と、
筐体に取り付けられて、該筐体内に収容された照明体を保持する保持具と、
を有する照明器具において、
筐体が、上記底板および左右の側板を有する筐体構成部材が複数直列に連結して構成され、
照明体の保持具として、筐体構成部材の底板、左側板および右側板の内側にそれぞれ位置する保持具底板、保持具左側板および保持具右側板を有して、これらの保持具底板、保持具左側板および保持具右側板で囲う状態にして照明体を保持するものが用いられ、
保持具は遮光性の部材から形成されて、連結状態で隣り合う筐体構成部材の継ぎ目の位置に配されている、
ことを特徴とするものである。
【００１１】
なお、上記の「保持具が・・・筐体構成部材の継ぎ目の位置に配されている」とは、保持具が有する少なくとも保持具左側板および保持具右側板が、継ぎ目を挟んだ両側の筐体構成部材の各内側に存在している状態を指すものである。それに加えて、勿論、保持具が有する保持具底板が、継ぎ目を挟んだ両側の筐体構成部材の各内側に存在している状態になっていてもよい。
【００１２】
上記の拡散板は、筐体の長さ方向に延びる光拡散部と、この光拡散部の左右両縁部からそれぞれ立ち上がって筐体の左側板および右側板の内面に取り付けられる取付部とを有するものであって、その取付部は遮光性のものであることが望ましい。
【００１３】
また、上述のような取付部の下端は、保持具の保持具左側板および保持具右側板の各上端と接していることが望ましい。
【００１４】
また、上記の拡散板として、筐体長さ方向に連ねられた複数の拡散板が用いられてもよい。その場合は、拡散板の継ぎ目の位置が、筐体構成部材の継ぎ目の位置に対して筐体長さ方向にずれていることが望ましい。
【考案の効果】
【００１５】
本考案の照明器具においては、保持具として、筐体構成部材の底板、左側板および右側板の内側にそれぞれ位置する保持具底板、保持具左側板および保持具右側板を有して、これらの板で囲う状態にして照明体を保持するものが用いられ、その保持具が遮光性の部材から形成された上で、連結状態で隣り合う筐体構成部材の継ぎ目の位置に配されているので、保持具内の照明体から発せられて上記継ぎ目に向かう光は、保持具によって遮られる。そこで本考案の照明器具によれば、筐体構成部材の継ぎ目、特に該部材の左側板および右側板の継ぎ目に隙間が生じていても、その隙間から光が筐体側外方に洩れ出ることが防止される。
【００１６】
また、本考案の照明器具において、拡散板が、筐体の長さ方向に延びる光拡散部と、この光拡散部の左右両縁部からそれぞれ立ち上がって筐体の左側板および右側板の内面に取り付けられる取付部とを有し、この取付部が遮光性のものとされた場合は、照明体からの光がこの取付部を透過して、筐体構成部材の継ぎ目の隙間から筐体外に洩れ出ることも防止される。なお、上記取付部の下端が、保持具左側板および保持具右側板の各上端と接している場合は、上記取付部による洩れ光防止の効果と、保持具左側板および保持具右側板による洩れ光防止の効果が、筐体の高さ方向全域に亘って得られるので特に望ましい。
【００１７】
ここで、特に筐体長さ方向に連ねられた複数の拡散板が用いられる場合において、拡散板の継ぎ目の位置と筐体構成部材の継ぎ目の位置とが筐体長さ方向において一致していると、拡散板の継ぎ目の隙間から側方に洩れた光が、筐体構成部材の継ぎ目の隙間を通って筐体外方に洩れ出ることもあり得る。このような問題は、拡散板の継ぎ目の位置が、筐体構成部材の継ぎ目の位置に対して筐体長さ方向にずれた構成としておくことにより防止され得る。
【図面の簡単な説明】
【００１８】
【図１】本考案の一実施形態による照明器具を示す斜視図
【図２】図１の照明器具を構成する要素を分解して示す斜視図
【図３】上記照明器具の一部を示す縦断面図
【図４】上記照明器具を構成する筐体の一部を示す平面図
【図５】上記照明器具の取付けを説明する斜視図
【図６】上記照明器具の取付けを説明する縦断面図
【図７】上記照明器具の取付けを説明する斜視図
【図８】上記照明器具の取付けを説明する斜視図
【考案を実施するための形態】
【００１９】
以下、図面を参照して本考案の実施形態について説明する。図１は、本考案の一実施形態による照明器具１の外観形状を示す斜視図であり、図２はこの照明器具１を構成する各要素を分解して示す斜視図である。また図３は、図１の照明器具１の一部を、筐体２０の長さ方向から見た場合の断面形状を示す縦断面図である。なお、多くの使用下の状態とは反対に、図１〜３では筐体２０をその底板２２を下側に配した状態で示している。そこで、以下における図１〜３を参照した説明では、「上」および「下」をこれらの図における上下で表して説明する。
【００２０】
図１〜３に示される通り本実施形態の照明器具１は、長尺の照明体１０と、この照明体１０を内部に収容する長尺の筐体２０と、照明体１０から発せられた光を拡散させる拡散板３０（図１では一部破断して表示）と、連結部材４０とを有している。なお、筐体２０は後述するように複数の要素を照明体１０の長さ方向に連結して構成されており、連結部材４０はそれらの要素を連結するものである。照明器具１はさらに、筐体２０の長さ方向両端部を閉じる１対のサイドキャップ２５と、筐体２０の内部に係止されて照明体１０を保持する複数のモジュールクリップ５０とを有している。
【００２１】
照明体１０は、長尺のチューブ１１の内部において、複数のＬＥＤ発光素子１２が１列に並設されてなるものである。より詳しくは、複数のＬＥＤ発光素子１２は、支持体としての長尺の基板１３の一表面上に、抵抗等のその他の素子と共に、基板長さ方向に並べて固定されている。一方チューブ１１は、例えばポリカーボネート等の可撓性を有する半透明の軟質合成樹脂を用いて角筒状に形成され、その中空部分内に基板１３が固定されている。基板１３はチューブ１１ごと、所望の位置で切断可能となっている。こうして照明体１０は、使用者の要望や照明器具設置条件等に合わせて、照明器具設置現場において金属用ハサミ等を用いて所望の長さに、つまり所望の数のＬＥＤ発光素子１２を備える状態に切断可能となっている。なお本実施形態の照明体１０は、例えば６個のＬＥＤ発光素子１２を並設している長さ５０ｍｍの部分毎に切断可能とされている。
【００２２】
照明体１０は、一例として照明長が４５０ｍｍ程度から５０００ｍｍ程度までの、長さが異なる複数タイプのものが完成状態で提供される。完成状態の各タイプの照明体１０は、図２に示す通り、一端側にコード１６を介して入力側コネクタ１７が配置され、他端側には同様のコードおよび送り側コネクタが（図２ではいずれも図示せず）配置されたものであり、上述のように切断をせずにその完成状態のままでも使用可能である。切断をせずに照明体１０を使用する場合は、残っている上記送り側コネクタに別の照明体１０の入力側コネクタ１７を接続させて、その別の照明体１０と共に使用することが可能である。一方、切断して照明体１０を使用する場合は、使用する方の照明体１０の切断部に接着剤が塗布された後、エンドキャップ１８が被着される。
【００２３】
長尺の筐体２０は、２つ以上の筐体構成部材２１を、その長さ方向に連結して構成されている。この筐体構成部材は遮光性の材料から構成され、本実施形態では一例としてアルミニウムから形成されたものが用いられている。そこで以下では、この筐体構成部材をアルミハウジング２１と称することとする。各アルミハウジング２１は、直線方向に延びる底板２２と、この底板２２の幅方向両縁部から各々立ち上がって底板２２と平行に延びる左側板２３、右側板２４とを備えた、概略コ字状の断面形状を有するものである。さらに詳細には、図３の断面図に明示される通り、底板２２には下方に張り出した２つの脚部２２ｂが設けられ、左側板２３の内面には底板２２側から上方に向かって順次、側板長さ方向に延びる突条部２３ａ、２３ｂ、２３ｃが形成され、右側板２４の内面にも同様の突条部２４ａ、２４ｂ、２４ｃが形成されている。このようなアルミハウジング２１は、例えばアルミニウムを押出成形することによって形成される。
【００２４】
上述したように切断され得る照明体１０に対応するために、アルミハウジング２１は固有の所定長さのものが何タイプか用意され、それらの中から選択された複数個が連結されて、照明体１０の長さに対応した筐体２０が構成される。さらにアルミハウジング２１は、照明体１０の長さに対応可能とするために、途中で切断されて任意の長さに形成されても構わない。
【００２５】
複数のアルミハウジング２１のうち、長さ方向の最外位置に配される各アルミハウジング２１としては、図４に平面形状を示すように、端部から内方に向かって切れ込んだ切り欠き２２ａを有するものが適用される。そしてこれらのアルミハウジング２１の底板２２にはそれぞれ、前述したサイドキャップ２５が取り付けられる。各サイドキャップ２５は、コード通過孔２６ａを有する基部２６と、この基部２６の外端部から立ち上がった蓋板２７とを有する。これらの基部２６および蓋板２７は、例えば合成樹脂から形成されている。基部２７の下部には、打ち抜き部（ノックアウト）２７ａが形成されている。また、基部２６の内端近傍部分には、止めねじ２８が螺合されている。このサイドキャップ２５の、アルミハウジング２１への取り付けについては後に詳しく説明する。
【００２６】
以上説明の通り、最外位置に配されるアルミハウジング２１の底板２２に設けられた切り欠き２２ａは、サイドキャップ２５を取り付けるために設けられたものである。したがって、前述したようにアルミハウジング２１を切断して用いる場合、そのアルミハウジング２１が最外位置に配されるものであるならば、切り欠き２２ａがそのまま残るようにしてアルミハウジング２１を切断する必要がある。
【００２７】
連結部材４０は、上板４１と、それよりも幅広の下板４２とからなる。これらの上板４１および下板４２は、例えば数個のナット４３を介して接合されている。各ナット４３の中には、止めねじ４４が螺合されている。上述のように上板４１と下板４２とから構成された連結部材４０は、その長さ方向から見た場合の断面形状が、図３に示す通り概略凸字状となっている。
【００２８】
以下、上記の連結部材４０による、複数のアルミハウジング２１の連結について説明する。図３の断面図に示すように、アルミハウジング２１の左側板２３、右側板２４にはそれぞれ、底板２２から所定間隔をおいて内方に張り出した突条部２３ａ、２４ａが設けられている。連結部材４０は、その上板４１が突条部２３ａと突条部２４ａとの間に位置し、下板４２の左端部が突条部２３ａと底板２２との間に位置し、下板４２の右端部が突条部２４ａと底板２２との間に位置するようにして、隣り合う２つのアルミハウジング２１にそれぞれ端面側から挿入される。なお、この時点で、図３に示すモジュールクリップ５０およびそれよりも上側の要素は、まだアルミハウジング２１に取り付けられてはいない。ここで、以下において「２つのアルミハウジング２１」と称するものは、その都度の説明は省略するが、全て隣り合う２つのアルミハウジング２１のことである。
【００２９】
次いで２つのアルミハウジング２１は、長さ方向において互いに密接する状態とされる。こうすることにより連結部材４０は、一端部側が２つのアルミハウジング２１の一方側において、そして他端部側が２つのアルミハウジング２１の他方側において、図３に示す状態となる。次いで、各ナット４３の中に螺合されている止めねじ４４が上側から締め付けられると、下板４２の下面から突出した止めねじ４４が底板２２を押すことにより、下板４２の上面が突条部２３ａ、２４ａの下面に圧接して、連結部材４０が２つのアルミハウジング２１に固定される。こうして、２つのアルミハウジング２１が、連結部材４０によって直列に連結される。
【００３０】
以上は２つのアルミハウジング２１を連結する場合について説明したが、３つ以上のアルミハウジング２１を連結する場合も、それらの中の２つのアルミハウジング２１を上記と同様にして連結すれば、全部のアルミハウジング２１が同様に直列に連結される。なお、アルミハウジング２１の全高Ｈおよび全幅Ｗ（図３参照）は、それぞれ例えば２０ｍｍ、１８ｍｍ程度とされる。
【００３１】
なお上述した止めねじ４４は、例えば頭の部分は持たないで六角穴を有するものとして、照明器具１に付属させた六角レンチで回転操作されるようにしておくのが望ましい。また、図３に示す通り、アルミハウジング２１の左側板２３、右側板２４はそれぞれ底板２２を通り越す位置まで各先端が延びるように形成し、それと共に底板２２の２つの脚部２２ｂの外面（図３中の下面）は、上記各先端と面一になるようにしておくのが望ましい。このように面一になった面は、後述するようにアルミハウジング２１を天井板等の造作に取り付ける際に、造作の取付面に接する面となる。
【００３２】
次に、前述したサイドキャップ２５の、アルミハウジング２１への取り付けについて詳しく説明する。図２に示したサイドキャップ２５の基部２６は、その長さ方向から見た断面形状が、図３に示した連結部材４０の断面形状と略同一（概略凸字状）とされたものである。そこで、サイドキャップ２５もアルミハウジング２１に対して、基部２６が図３中の連結部材４０と同じ状態にして挿入され、蓋板２７がアルミハウジング２１の端部に密接するまで押し込まれる。この状態になったところで止めねじ２８を締め付ければ、連結部材４０がアルミハウジング２１に固定されたのと同様にして、サイドキャップ２５がアルミハウジング２１に固定される。
【００３３】
次に、モジュールクリップ５０について説明する。モジュールクリップ５０は図２に示す通り、クリップ底板５２と、このクリップ底板５２の左右の側部から各々立ち上がったクリップ左側板５３、クリップ右側板５４とを有して、断面形状が概略コ字状とされたものである。その詳しい断面形状は図３に示す通りである。なおこの図３の断面図は、照明器具１の長さ方向において、モジュールクリップ５０が存在する位置で照明器具１を破断して示すものである。同図に示される通り、クリップ左側板５３、クリップ右側板５４の各上端部５３ａ、５４ａは丸く折り曲げられた形状とされ、またその下側には内方に突出した屈曲部５３ｂ、５４ｂがそれぞれ設けられている。このモジュールクリップ５０は、ある程度高い剛性および弾性を備えた上で遮光性を有する部材、例えば薄いステンレス鋼板等から構成されている。
【００３４】
このモジュールクリップ５０は、先に述べたようにして複数のアルミハウジング２１が連結され、そして両端部のアルミハウジング２１に各々サイドキャップ２５が取り付けられた後に、アルミハウジング２１内に複数取り付けられる。この取付けは図２に示すように、アルミハウジング２１の開いた側（図２で上方）においてモジュールクリップ５０を、そのクリップ底板５２がアルミハウジング２１の底板２２と平行になる向きに配し、次いで該モジュールクリップ５０を底板２２の方に押し込むことによってなされる。
【００３５】
すなわち、そのようにモジュールクリップ５０を押し込むと、モジュールクリップ５０は弾性変形しながら、アルミハウジング２１の左側板２３の上部内面に形成された２つの突条部２３ｃ、２３ｂと、アルミハウジング２１の右側板２４の上部内面に形成された２つの突条部２４ｃ、２４ｂを乗り越えて、アルミハウジング２１内に取り付けられる。この取付け状態においてモジュールクリップ５０は、図３に示すように、そのクリップ左側板５３の上端部が、アルミハウジング左側板２３の内面および突条部２３ｂの下面に弾力的に当接し、またクリップ右側板５４の上端部が、アルミハウジング右側板２４の内面および突条部２４ｂの下面に弾力的に当接して、アルミハウジング２１内に嵌合保持される。
【００３６】
上述のようにして複数のモジュールクリップ５０が取り付けられた後、これらのモジュールクリップ５０内に保持される状態にして、照明体１０が取り付けられる。この取付けは図２に示すように、モジュールクリップ５０の開いた側（図２で上方）に照明体１０を、そのチューブ１１が（つまりは基板１３が）クリップ底板５２と略平行になる向きに配し、次いで該照明体１０をクリップ底板５２の方に押し込むことによってなされる。このとき照明体１０は、可撓性の有るチューブ１１が、アルミハウジング２１の長さ方向に直線状に延びるようにして、複数のモジュールクリップ５０内に押し込まれる。それにより照明体１０は図３に示すように、可撓性のチューブ１１の両側部がクリップ左側板５３、クリップ右側板５４の内面に圧接し、またチューブ１１の左右上端隅部がクリップ左側板５３の屈曲部５３ｂ、クリップ右側板５４の屈曲部５４ｂの下側に係止した状態となって、複数のモジュールクリップ５０に保持される。
【００３７】
この照明体１０の保持は、該照明体１０が、連結された複数のアルミハウジング２１の長さ方向と略平行で直線的に延びる状態になされる必要がある。照明体１０の保持が不確実で、照明体１０に弛みが生じていると、いくつかのＬＥＤ発光素子１２が拡散板３０に近接し過ぎて、照明光が、いわゆる「ドット状」のものになる可能性がある。そこで、モジュールクリップ５０は、照明体１０の長さに対してある程度以上の数、例えば長さ１ｍに対して１０個以上（図２では１個のみ図示）設けられる。
【００３８】
そのようにモジュールクリップ５０は複数、互いに適宜間隔を置いて設けられるが、２つのアルミハウジング２１の連結箇所においては、必ずモジュールクリップ５０が存在するように配置される。そのように複数のモジュールクリップ５０が配置されれば、２つのアルミハウジング２１の左側板２３同士の間、右側板２４同士の間には、それぞれ内側に（つまり照明体１０側に）クリップ左側板５３、クリップ右側板５４が存在するようなる。そこで、２つのアルミハウジング２１の左側板２３同士の間、右側板２４同士の間に僅かな隙間が存在した場合でも、照明体１０からの光は遮光性のクリップ左側板５３、クリップ右側板５４によって遮られるので、アルミハウジング２１からなる筐体２０の側方に光が洩れ出ることが防止される。
【００３９】
なお、上述したように２つのアルミハウジング２１の左側板２３同士の間、右側板２４同士の間に僅かな隙間が存在する場合は、２つのアルミハウジング２１の底板２３同士の間にも隙間が存在する可能性が高い。この底板２３同士の間の隙間から光が洩れ出た場合は、その光が２つのアルミハウジング２１の左側板２３同士の間、右側板２４同士の間を通って筐体２０の外部に洩れ出ることも有り得る。しかし本実施形態では、２つのアルミハウジング２１の底板２３同士の間と、照明体１０との間には、クリップ底板５２が存在しているので、２つのアルミハウジング２１の底板２３同士の間を通って光が筐体２０の外に洩れ出ることも防止される。
【００４０】
次に拡散板３０について説明する。ディフューザーとも称される拡散板３０は、照明体１０の各ＬＥＤ発光素子１２から発せられた光を拡散させて、照明光の強度を均一化させる。それにより、照明光が個々のＬＥＤ発光素子１２毎に目立って、いわゆる「ドット状」になることが防止される。
【００４１】
より具体的に拡散板３０は、長尺の光拡散部３１と、この光拡散部３１の左右両縁部からそれぞれ立ち上がって光拡散部３１と平行に延びる取付部３２とを有する形状とされている。光拡散部３１は乳白半透明で、取付部３２は白色で光不透過性（遮光性）に形成されている。このような構造の拡散板３０は、例えばポリカーボネート等の合成樹脂から、光拡散部３１および取付部３２が一体的に形成されてなる。この長尺の拡散板３０は、筐体２０の全長、つまり連結された複数のアルミハウジング２１の合計長に適合する長さに切断されて、例えば１本が、あるいは上記全長が大きい場合等は複数本並べて筐体２０に取り付けられる。
【００４２】
拡散板３０の筐体２０への取付けは、以下のようにしてなされる。前述したように照明体１０が筐体２０内に保持された後、拡散板３０は、その取付部３２の側からアルミハウジング２１に向けて押し込まれる。それにより、左右の取付部３２が弾性変化しながら、アルミハウジング２１の左側板２３の突条部２３ｃおよび右側板２４の突条部２４ｃを乗り越える。その結果、図３に示すように、左右の取付部３２の側外方に突出した部分が各々、上記左側板２３の２つの突条部２３ｃ、２３ｂの間、そして左側板２４の２つの突条部２４ｃ、２４ｂの間に嵌合する。こうして拡散板３０が、左側板２３と右側板２４の各上縁の間に差し渡した状態にして、複数のアルミハウジング２１からなる筐体２０に取り付けられる。
【００４３】
ここで図３に明示されるように、拡散板３０の透光性の光拡散部３１は両端部が斜めに形成される一方、アルミハウジング２１の左側板２３および右側板２４の先端部も斜めに形成されて、光拡散部３１の表面が左側板２３および右側板２４の各先端面と略一致する状態にされている。そこで照明器具１は、拡散された照明光を筐体２０の全幅に亘って面発光するものとなり、美観の高い照明環境を提供可能となる。
【００４４】
また、拡散板３０の光拡散部３１、並びにアルミハウジング２１の左側板２３および右側板２４が上記のように形成されているので、光拡散部３１の左右両端部がアルミハウジング２１の側方に露出することがない。そこで、光拡散部３１を経た光が、アルミハウジング２１の側方から発せられることがなく、この点からも照明器具１は、美観の高い照明環境を提供できるものとなる。
【００４５】
さらに、拡散板３０の全長に亘って延びる左右の取付部３２が遮光性のものとされているので、前述したように２つのアルミハウジング２１の間に隙間が生じていたとしても、照明体１０からの光がこの取付部３２を透過して上記隙間から洩れ出ることが防止される。ただし、特に、拡散板３０が長さ方向に複数連ねた状態で用いられる場合は、２つの拡散板３０の間に隙間が有って、その隙間が２つのアルミハウジング２１の間の隙間と整合していると、それらの隙間を通った光がアルミハウジング２１の側方に洩れ出ることも有り得る。そこで、複数の拡散板３０を長さ方向に連ねて用いる場合は、図１に示すように、２つのアルミハウジング２１の継ぎ目２１Ｓと、２つの拡散板３０の継ぎ目３０Ｓとが筐体２０の長さ方向に互いにずれた状態となるように、各アルミハウジング２１と各拡散板３０の長さを設定しておくことが望ましい。
【００４６】
なお図３では、拡散板３０の取付部３２を、分かり易くハッチングを付して示している。この取付部３２を遮光性のものとするためには、前述したように白色不透過性に形成する他、黒色顔料を練り込む、表面部分に遮光性の塗膜を形成する等の手法が適用されてもよい。
【００４７】
ここで、拡散板３０の取付部３２と、クリップ左側板５３およびクリップ右側板５４とによる洩れ光防止の作用をより高くするためには、図３に示されるように、クリップ左側板５３およびクリップ右側板５４の各上端が取付部３２の下端と接していることが特に望ましい。
【００４８】
以上の構成を有する照明器具１は、長尺の拡散板３から一様な強度の光を発するものとなって、いわゆる面発光ライン照明を実現する。
【００４９】
次に図５〜８を参照して、本実施形態の照明器具１の取付けについて説明する。なおここでは、取付け対象の造作が一例として天井板８０である場合について説明する。まず図５に示すように、複数のアルミハウジング２１を長さ方向に連結し、その両端部をそれぞれサイドキャップ２５の蓋板２７で閉じて、所望の全長の筐体２０を完成させる。そして、完成した筐体２０を、複数の取付ねじ８１を用いて天井板８０に取り付ける。より詳しくは図６に示すように、アルミハウジング２１の底板２２にドリル等を用いて複数の取付孔８２を設け、この取付孔８２に下側から取付ねじ８１を通し、該取付ねじ８１を天井板８０に締め付けることによって筐体２０を取り付ける。
【００５０】
次に図７に示すように、筐体２０を構成するアルミハウジング２１の内部に、複数のモジュールクリップ５０を組み付けた後、それらのモジュールクリップ５０に照明体１０を保持させる。なお図７では、照明体１０の一端側、他端側にそれぞれ前述した入力側コネクタ１７、送り側コネクタ７が各々コード１６を介して配置されている例を示している。なお本例では、入力側コネクタ１７がサイドキャップ２５のコード通過孔２６ａ（図２参照）を通して天井板８０側に引き出され、送り側コネクタ７は蓋板２７の打ち抜き部２７ａ（図２参照）を打ち抜いて形成された孔を通して、横方向に引き出されているものとする。
【００５１】
次に図８に示すように、拡散板３０が筐体２０に取り付けられて、照明器具１の取付けが完了する。なお図８では示していないが、さらに別の照明器具１が取り付けられてもよい。その別の照明器具１と図示の照明器具１とは、前者が有する図示外の入力側コネクタ１７と、後者が有する送り側コネクタ７とを介して電気的接続を取ることができる。
【００５２】
以上説明した実施形態では、複数のＬＥＤ発光素子が１列に並べて照明体１０が構成されているが、本考案の照明器具は、ＬＥＤ発光素子を２列以上有する照明体１０を用いて構成することも可能である。
【００５３】
また、以上説明した通りモジュールクリップ５０は照明体１０を保持する保持具として作用するものであるが、特にアルミハウジング２１に対して弾力的に強く係止、保持可能に構成される場合は、２つのアルミハウジング２１を連結する作用も果たす。したがって、特に筐体２０の全長が比較的短くて、アルミハウジング２１の各々が天井板等に確実に固定され得る場合には、複数のアルミハウジング２１の連結を１つあるいは複数のモジュールクリップ５０のみで行って、連結部材４０を省くこともできる。
【符号の説明】
【００５４】
１      照明器具
７      送り側コネクタ
１０    照明体
１１    チューブ
１２    ＬＥＤ発光素子
１３    基板
１６    コード
１７    入力側コネクタ
１８    エンドキャップ
２０    筐体
２１    アルミハウジング
２１Ｓ  アルミハウジングの継ぎ目
２２    アルミハウジングの底板
２３    アルミハウジングの左側板
２４    アルミハウジングの右側板
２５    サイドキャップ
３０    拡散板
３０Ｓ  拡散板の継ぎ目
４０    連結部材
５０    モジュールクリップ
５２    モジュールクリップの底板（保持具底板）
５３    モジュールクリップの左側板（保持具左側板）
５４    モジュールクリップの右側板（保持具右側板）
８０    天井板
８１    取付ねじ
８２    取付孔
【図１】
0003217460.tif 000003
【図２】
0003217460.tif 000004
【図３】
0003217460.tif 000005
【図４】
0003217460.tif 000006
【図５】
0003217460.tif 000007
【図６】
0003217460.tif 000008
【図７】
0003217460.tif 000009
【図８】
0003217460.tif 000010